(57)【要約】本発明は、プリント回路基板（１）に固定されるコネクタ（３）と、当該コネクタ（３）に摺動可能に取り付けられる一体化保持フレーム（４）を有するカバー（５）とを含むコネクタアセンブリ（Ｖ）に関する。・カバー（５）は開口部（６）を有し、保持フレーム（４）は、開口部（６）の表面に対して補償間隙（Ｓ）を有する内部フレームとして一体化され、・カバー（５）は、カバー（５）がコネクタ（３）に挿入される間に保持フレーム（４）が開口部（６）の中に整合されるように開口部（６）の表面と保持フレーム（４）との間に可撓性接続部（７）を含む。
2013541155.tif 000002
【特許請求の範囲】
【請求項１】
プリント回路基板（１）に固定されるコネクタ（３）と、
前記コネクタ（３）に摺動可能に取り付けられる一体化保持フレーム（４）を有するカバー（５）と
を含むコネクタアセンブリ（Ｖ）であって、
・前記カバー（５）は開口部（６）を有し、前記保持フレーム（４）は、前記開口部（６）の表面に対して補償間隙（Ｓ）を有する内部フレームとして一体化され、
・前記カバー（５）は、前記カバー（５）が前記コネクタ（３）に挿入される間に前記保持フレーム（４）が前記開口部（６）の中に整合されるように、前記開口部（６）の表面と前記保持フレーム（４）との間に可撓性接続部（７）を含む、コネクタアセンブリ（Ｖ）。
【請求項２】
前記保持フレーム（４）の対向側部における少なくとも一対の締結部（Ｆ）が、前記保持フレーム（４）を前記コネクタ（３）に固定するべく設けられる、請求項１に記載のコネクタアセンブリ（Ｖ）。
【請求項３】
前記締結部（Ｆ）は、ねじ接続部、ホットスタンピング接続部、クリップ接続部、スナップオン接続部、又はねじ接続部として形成される、請求項１又は２に記載のコネクタアセンブリ（Ｖ）。
【請求項４】
各締結部（Ｆ）は、前記保持フレーム（４）及び前記コネクタ（３）の一側部に整合スナップ留め部（４．２）を含み、前記保持フレーム（４）及び前記コネクタ（３）の他側部に相補的係合部材（３．３）を含む、請求項１から３のいずれか一項に記載のコネクタアセンブリ（Ｖ）。
【請求項５】
案内スロット（９）が前記コネクタ（３）のピンソケット（３．１）と前記保持フレーム（４）との間に係合可能である、請求項１から４のいずれか一項に記載のコネクタアセンブリ（Ｖ）。
【請求項６】
前記保持フレーム（４）を前記開口部（６）の中に可動に固定するべく、前記開口部（６）の対向側部に少なくとも一対の可撓性接続部（７）が設けられる、請求項１から５のいずれか一項に記載のコネクタアセンブリ（Ｖ）。
【請求項７】
前記可撓性接続部（７）は、前記開口部（６）の表面と前記保持フレーム（４）との間にある前記開口部（６）の切除部（８）の中に形成される弾性アーム（７．１）を含む、請求項１から６のいずれか一項に記載のコネクタアセンブリ（Ｖ）。
【請求項８】
前記カバー（５）、前記可撓性接続部（７）、及び前記保持フレーム（４）は、一つの形成部品、特に一つの鋳造部品として設計される、請求項１から７のいずれか一項に記載のコネクタアセンブリ（Ｖ）。
【請求項９】
前記コネクタ（３）は多ピンコネクタであり、前記多ピンコネクタは、複数の離間したピン（３．２）を有する少なくとも一つのピンソケット（３．１）（短く称するとピンブロック）を含む、請求項１から８のいずれか一項に記載のコネクタアセンブリ（Ｖ）。
【発明の詳細な説明】
【技術分野】
【０００１】
本発明は、プリント回路基板のためのコネクタアセンブリに関する。
【背景技術】
【０００２】
プリント回路基板のための様々なタイプの電気コネクタが周知である。一般に、これらは、プリント回路基板上の自動組み付けを可能とする支持ベース又はブロックによって、互いに接続されるピンとして設計される。
【０００３】
加えて、当該ピンは一般に、損傷から当該ピンを保護するフレーム状の保持部によって囲まれる。支持部及びこれに配置されるピンによって形成されるこのようなコネクタアセンブリは、当該ピンの損傷を回避するべく、組み付け中において、すべての部品の複雑かつ極めて正確な整合を必要とする。
【先行技術文献】
【特許文献】
【０００４】
【特許文献１】独国特許出願公告第１０２００６０３７０６０（Ｂ３）号明細書
【特許文献２】米国特許出願公開第２０１０／１４４１９６（Ａ１）号明細書
【特許文献３】米国特許第５００４４３０号明細書
【特許文献４】欧州特許出願公開第７９７２７３（Ａ２）号明細書
【発明の概要】
【０００５】
本発明の目的は、当該組み付けに関して改善されたコネクタアセンブリを与えることにある。
【０００６】
本発明によれば、当該目的は、請求項１に係るコネクタアセンブリによって達成される。
【０００７】
本発明の好ましい実施例が従属項に与えられる。
【０００８】
コネクタアセンブリは、プリント回路基板に固定されるコネクタと、当該コネクタに摺動可能に取り付けられる一体化保持フレームを有するカバーとを含む。したがって、カバーは開口部を有し、保持フレームは当該開口部の表面に対して補償間隙を有する内部フレームとして一体化される。さらに、カバーは、当該カバーがコネクタに挿入される間に保持フレームが当該開口部の中に整合されるように、開口部の表面と保持フレームとの間に可撓性接続部を含む。
【０００９】
開口部の中における保持フレームの、このような相対的に自由な可動配置は、コネクタ上の及びプリント回路基板に対する保持フレームの容易な整合及びセンタリングを可能とする。すなわち、カバーをコネクタに挿入する間における保持フレームのコネクタへの配置及び組み付けが改善される。
【００１０】
コネクタは従来より、例えばピンが物質強制されて（material-forced）、特にはんだ付けされて、プリント回路基板上に取り付けられる。したがって、保持フレームのみを、コネクタに対して整合する必要がある。保持フレームのサイズ及び形状は、長手方向及び／又は側方方向の配向で当該保持フレームがカバーの開口部の中を自由に動くように設計される。
【００１１】
コネクタ、例えばピンブロックをプリント回路基板コネクタに対してセンタリングするべく、当該コネクタは、当該プリント回路基板のボアに固定可能なボルト、ねじ、又は他の手段を含む。
【００１２】
加えて、プリント回路基板の対応コネクタアセンブリを、例えば拡張基板又は対応コネクタアセンブリに、特にピン対応ソケットに接続する場合、保持フレームのみが、当該対応コネクタアセンブリに対して当該開口部の中に整合される。従来のようにコネクタのピンの各行及び各列と対応コネクタアセンブリの対応ソケットの各行及び各列との複雑な整合が回避される。その結果、当該組み付けが単純化され、その時間が低減される。
【００１３】
コネクタアセンブリの一実施例において、少なくとも一対の締結部が、保持フレームをコネクタに固定するべく当該保持フレームの対向側部に設けられる。これにより、保持フレームを有するカバーを、コネクタに容易に組み付けかつ固定することができる。締結部は、ねじ接続部、ホットスタンピング接続部、クリップ接続部、スナップオン接続部、又はねじ接続部として形成される。
【００１４】
好ましくは、各締結部は、保持フレーム及びコネクタの一側部に整合スナップ留め部を含み、当該保持フレーム及びコネクタの他側部に相補的係合部材を含む。
【００１５】
追加的に簡単なカバーのコネクタへの組み付けとして、コネクタのピンソケットと保持フレームとの間に案内スロットが係合可能である。案内スロットにより、保持フレームは、組み付け中に容易に動くことができる。
【００１６】
さらなる実施例において、保持フレームを開口部の中に可動に固定するべく、当該開口部の対向側部に少なくとも一対の可撓性接続部が設けられる。このような可撓性接続部により、一体化自由可動保持フレームを有するカバーを容易にコネクタに組み付けることができるような、カバー内の保持フレームのクリアランスが許容される。
【００１７】
一実施例において、可撓性接続部は、開口部の表面と保持フレームとの間にある当該開口部の切除部の中に形成される弾性アームを含む。例えば、弾性アームはカーブを有する。このようなカーブ、特にＳ字カーブの弾性アームにより、開口部の中での保持フレームの容易な整合及びセンタリングが可能となる。これにより、カバーをコネクタに挿入する間の改善された組み付けが可能となる。
【００１８】
本発明のさらなる特徴は、コネクタアセンブリの部品数を低減することにある。コネクタアセンブリは、カバー、可撓性接続部、及び保持フレームが、一つの形成部品、特に一つの鋳造部品として設計される態様で構成される。このような一つの鋳造部品は、安価であり、かつ、例えば射出成形のような製造が容易となる。
【００１９】
コネクタアセンブリのさらに簡単な構成を目的として、コネクタは多ピンコネクタであり、当該多ピンコネクタは、複数の離間したピンを有する少なくとも一つのピンソケット（短く称するとピンブロック）を含む。
【００２０】
本発明の詳細が以下に説明される。しかしながら、当該詳細な説明及び具体的な例は本発明の可能な実施例を示し、例示のみによって与えられる。例示の実施例の、本発明の要旨及び範囲内にある様々な変形及び修正が、当業者に理解される。
【図面の簡単な説明】
【００２１】
本発明は、以下に与えられる詳細な説明により良好に理解される。添付の図面は、例示のみを目的として与えられ、本発明の範囲を制限するものではない。
【００２２】
【図１】プリント回路基板の表面上に配列されたコネクタアセンブリの概略的斜視図である。コネクタが保持フレームに挿入され、保持フレームはカバー内を自由に動くことができる。
【図２】プリント回路基板上に配列されたコネクタアセンブリを有するカバーの概略的平面図である。
【図３】コネクタアセンブリの拡大部分の概略的斜視図である。
【発明を実施するための形態】
【００２３】
図１は、プリント回路基板１の斜視図を示す。プリント回路基板１には、表面２上にコネクタ３が設けられる。
【００２４】
コネクタ３は、ピン３．２を有するピンソケット３．１として設計される。ピン３．２は行及び列に配列される。例えば、コネクタ３は、１０、２４、５１、若しくは８１ピンのコネクタ又は他のタイプのコネクタとして形成される。コネクタ３のピン３．２は、プリント回路基板１の平坦表面上に延びる。
【００２５】
ピン３．２は導電性金属ピンとして設計される。ピン３．２は、圧力固着及び／若しくは形状固着並びに／又は物質固着されるようにプリント回路基板１の型孔内に固定される。例えばピン３．２を受容する通路を有するベース又はブロックのようなピンソケット３．１は、非導電性材料、特にプラスチックから形成され得る。
【００２６】
加えて、コネクタ３は、プリント回路基板１にボルト４．１により従来の態様で固定される。
【００２７】
コネクタ３上には、保持フレーム４が取り付け可能である。コネクタ３と保持フレーム４とは、保持フレーム４の対向側部上の少なくとも一対の締結部Ｆによって、互いに取り外し可能に接続される。
【００２８】
締結部Ｆは、ねじ接続部、ホットスタンピング接続部、クリップ接続部、スナップ接続部、又はねじ接続部として形成される。
【００２９】
各締結部Ｆに対し、ピンソケット３．は係合部材３．３を有する。係合部材３．３は周方向リッジとして設計され、プリント回路基板１に対向して配列される。保持フレーム４に形成された整合スナップ留め部４．２が、形状封止及び／又は圧力封止の態様で係合部材３．３に係合する。
【００３０】
保持フレーム４は、中実の、かつ、特に電気的及び／又は熱的に伝導性のフレームとして形成される。保持フレーム４は、金属材料、例えばアルミニウム圧力鋳造から作ることができる。
【００３１】
保持フレーム４は、留め手段によって、例えばコネクタ３のボルト４．１のような図示しないボルトによって、従来の態様でプリント回路基板１に追加的に固定される。代替的に、保持フレーム４は、ねじ、リベット、又は他の手段によって固定することができる。
【００３２】
保持フレーム４は、例えば落下若しくは打撃の際に又は他の機械的応力が加わる際にピン３．２が損傷から保護されるように、コネクタ３と保持フレーム４とが組み付けられた状態でピン３．２の側方がプリント回路基板１の当該側部の保持フレーム４に囲まれるような、又は当該保持フレーム４がピン３．２の上方にそびえるような寸法、特に側壁の高さを有する。
【００３３】
プリント回路基板１に機械的に結合され得るカバー５によって、コネクタアセンブリＶの側方が、図示しない態様でプリント回路基板１の表面２に封止される。
【００３４】
保持フレーム４はカバー５と一体化され、保持フレーム４はカバー５とともにコネクタ３に摺動可能に取り付けられる。これを目的として、カバー５は開口部６を有する。開口部６において、保持フレーム４が内部フレームとして一体化される。
【００３５】
代替的に、保持フレーム４は、カバー５に機械的に結合される別個のコンポーネントとして設計される。
【００３６】
さらに、カバー５は、複数の可撓性接続部７を含む。可撓性接続部７はそれぞれ、保持フレーム４の対向する２つの外部側方壁の方向の中心に留められる。
【００３７】
これらの可撓性接続７、特に、保持フレーム４の各側部に配列される所定数の可撓性接続７は、カーブした弾性アーム７．１によって行われる。弾性アーム７．１は、カバー５の対応切除部８において、カバー５から自由に突出かつ曲げられる。したがって、弾性アーム７．１は、コネクタ３の長手軸に沿ってこれと平行に延びる。可撓性接続部７の弾性端が、プリント回路基板１に対向して配列される保持フレーム４の開放端に留められる。
【００３８】
カバー５の開口部６が、保持フレーム４とカバー５との間に補償間隙Ｓが形成されるように選択される。代替的に、保持フレーム４のサイズ及び形状は、補償間隙Ｓを形成する間に長手方向又は側方方向の配向で保持フレーム４がカバー６の開口部６の中を自由に動くように設計され得る。これにより、開口部６において保持フレーム４の容易な整合及びセンタリングが可能となり、カバー５がコネクタ３に挿入される間の改善された組み付けが可能となる。
【００３９】
保持フレーム４のコネクタ３上での、特にピンソケット３．１上での実質的に自由な遊び及び中心留めを目的として、ピンソケット３．１は案内スロット９又は抜き部を有する。
【００４０】
好ましい実施例において、保持フレーム４のみが、補償間隙Ｓにおける開口部６の中で、プリント回路基板１のコネクタアセンブリＶの接続中に、例えば図示しない拡張板又は図示しない対応コネクタアセンブリと整合される必要がある。
【００４１】
したがって、従来のようにコネクタ３のピン３．２の各行及び各列と対応コネクタアセンブリＶの対応ソケットの各行及び各列との複雑な整合が回避される。その結果、当該組み付けが単純化され、その時間が低減される。
【００４２】
さらに、はんだ側及びピン側が同じであるコネクタアセンブリＶは、これを、はんだ付けプロセスの間に組み付けることを可能とする。
【００４３】
加えて、図１は、回路基板１を支持するビーム１０も示す。ビーム１０は、網状支持構造又は支持板として設計される。
【００４４】
図２は、プリント回路基板１上にコネクタアセンブリＶを有するカバー５の平面図を概略的に示す。
【００４５】
図３は、図２に係るコネクタアセンブリＶの拡大部分を概略的に示す。
【符号の説明】
【００４６】
１  プリント回路基板
２  表面
３  コネクタ
３．１  ピンソケット
３．２  ピン
３．３  係合部材
４  保持フレーム
４．１  ボルト
４．２  スナップ留め部
５  カバー
６  開口部
７  可撓性接続部
７．１  弾性アーム
８  切除部
９  案内スロット
１０  ビーム
Ｆ  締結部
Ｓ  補償間隙
Ｖ  コネクタアセンブリ
【図１】
2013541155.tif 000003
【図２】
2013541155.tif 000004
【図３】
2013541155.tif 000005
【国際調査報告】
2013541155.tif 000006
2013541155.tif 000007